(57)【要約】【課題】配設された電力線のみを用いて照明器具の配設が行え、電力線搬送信号による照明制御が行える照明制御システムを提供する。【解決手段】ブロッキングフィルター３、点灯装置５および照明負荷６が配設され、ブロッキングフィルター３の出力側に接続された後段の電力線２ｂに点灯装置５が接続されている第１の照明器具７と、点灯装置５および照明負荷６が配設され、点灯装置５が後段の電力線２ｂに接続されている第２の照明器具８と、第１および第２の照明器具７，８の少なくとも１つの照明器具に配設され、送信された照明制御信号を電力線搬送信号に変換して後段の電力線２ｂに出力する照明制御装置５を具備して照明制御システム１を構成する。【選択図】図１
2004247213.tif 000002
【特許請求の範囲】
【請求項１】
遮断器を介して商用交流電源に接続されている電力線と；
電力線から電力線搬送信号を受信し、電力線搬送信号に応じて照明負荷の電力を制御する点灯装置、この点灯装置により調光点灯される照明負荷および電力線に接続され、電力線搬送信号が遮断器側に漏洩することを遮断するブロッキングフィルターが配設され、ブロッキングフィルターの入力側および遮断器間に前段の電力線が接続され、ブロッキングフィルターの出力側に後段の電力線が接続されていると共に、後段の電力線に点灯装置が接続されている第１の照明器具と；
前記点灯装置および前記照明負荷が配設され、点灯装置が後段の電力線に接続されている第２の照明器具と；
第１および第２の照明器具の少なくとも１つの照明器具に配設され、送信された照明制御信号を電力線搬送信号に変換して後段の電力線に出力する照明制御装置と；
を具備していることを特徴とする照明制御システム。
【請求項２】
照明制御装置は、第１の照明器具に配設されており、ブロッキングフィルターは、照明制御装置に一体的に設けられていることを特徴とする請求項１記載の照明制御システム。
【請求項３】
照明制御信号を送信する送信器を備えており、送信器は、商用交流電源により充電されるバッテリを具備していることを特徴とする請求項１または２記載の照明制御システム。
【請求項４】
送信器は、操作面が露出するようにして既設の規格化された埋め込み配線ボックスに着脱可能に配設されていることを特徴とする請求項１ないし３いずれか一記載の照明制御システム。
【発明の詳細な説明】
【０００１】
【発明の属する技術分野】本発明は、電力線搬送信号により照明器具のランプの点灯状態を制御する照明制御システムに関する。
【０００２】
【従来の技術】電力線通信により、壁スイッチや調光器などの制御端末器から照明器具のランプの点灯状態を制御することが行われている（例えば、特許文献１参照。）。この電力線通信を利用した照明制御においては、電力線搬送信号が主幹電力線側に漏洩しないように主幹電力線および分岐電力線の接続点の近くの分岐電力線にブロッキングフィルターが接続されている。
【０００３】
ところで、既設のオンオフ照明器具のリニューアルに際して、省電力化を図るために照明器具のランプを調光可能にすることが行われている。ここで、送信器などからの照明制御信号を調光信号に変換する照明制御装置、この照明制御装置および照明器具の間を接続する信号線を新たに設ける必要があるので、新たに前記信号線を設ける必要がない上記電力線通信を用いた照明制御方式が採用されている。
【０００４】
【特許文献１】特公平８−８５１９号公報（第２−３頁、第１図）
【０００５】
【発明が解決しようとする課題】既設のオンオフ照明器具のリニューアルに対して電力線通信を用いると、例えば壁面に点滅および調光用の端末器を設ける必要があり、あるいは、既設の壁スイッチに対して電源配線を行うなどの配線作業を要するという問題点がある。また、特許文献１に示すように、主幹電力線および分岐電力線の接続点の近くの分岐電力線にブロッキングフィルターを接続する必要がある。すなわち、分岐電力線の先頭側、例えば分電盤またはその近くにブロッキングフィルターを確実に接続する必要があるという問題点がある。
【０００６】
本発明は、配設された電力線のみを用いて照明器具の配設が行え、電力線搬送信号による照明制御が行える照明制御システムを提供することを目的とする。
【０００７】
【課題を解決するための手段】請求項１に記載の照明制御システムの発明は、遮断器を介して商用交流電源に接続されている電力線と；電力線から電力線搬送信号を受信し、電力線搬送信号に応じて照明負荷の電力を制御する点灯装置、この点灯装置により調光点灯される照明負荷および電力線に接続され、電力線搬送信号が遮断器側に漏洩することを遮断するブロッキングフィルターが配設され、ブロッキングフィルターの入力側および遮断器間に前段の電力線が接続され、ブロッキングフィルターの出力側に後段の電力線が接続されていると共に、後段の電力線に点灯装置が接続されている第１の照明器具と；前記点灯装置および前記照明負荷が配設され、点灯装置が後段の電力線に接続されている第２の照明器具と；第１および第２の照明器具の少なくとも１つの照明器具に配設され、送信された照明制御信号を電力線搬送信号に変換して後段の電力線に出力する照明制御装置と；を具備していることを特徴とする。
【０００８】
本発明および以下の各発明において、特に言及しない限り、各構成は以下による。
【０００９】
第１の照明器具において、点灯装置は、ブロッキングフィルターの出力側に接続されてもよく、この場合においても、後段の電力線に接続される。すなわち、第１の照明器具は、ブロッキングフィルターの入力側に前段の電力線を接続し、ブロッキングフィルターの出力側に後段の電力線を接続するので、通常、点灯装置は、ブロッキングフィルターの出力側に接続されている。
【００１０】
ブロッキングフィルターは、商用交流電源の低周波電圧をパスし、この低周波電圧に重畳された電力線搬送信号（高周波電圧）を除去するものであればよい。そして、ブロッキングフィルターの入力側に前段の電力線が接続され、ブロッキングフィルターの出力側に後段の電力線が接続されることにより、前段の電力線に電力線搬送信号が搬送されなくなる。
【００１１】
第２の照明器具は、１つであってもよく、複数であってもよい。また、第１の照明器具は、複数であってもよいが、ブロッキングフィルター間の第１または第２の照明器具と、最後段の第１の照明器具または最後段の第１の照明器具の後段の第２の照明器具にそれぞれ照明制御装置が配設され、それぞれの照明制御装置から後段の電力線に電力線搬送信号が出力されることを要する。
【００１２】
第２の照明器具に配設されている点灯装置および照明負荷は、第１の照明器具に配設されている点灯装置および照明負荷と同様のものである。
【００１３】
「第１および第２の照明器具の少なくとも１つの照明器具に配設されている照明制御装置」とは、照明制御装置は、第１の照明器具に配設されてもよく、第２の照明器具に配設されてもよく、あるいは、第１および第２の照明器具の両方（全ての照明器具を含む。）に配設されてもよいことを意味する。そして、照明制御装置は、後段の電力線に接続され、電力線搬送信号を後段の電力線に出力する。
【００１４】
照明制御信号は、例えば、送信器、人感センサや照度センサ（光センサ）などのセンサ装置および壁スイッチや調光器などの端末器などから送信させることができる。
【００１５】
本発明によれば、第１の照明器具のブロッキングフィルターが前段の電力線および後段の電力線に接続され、第２の照明器具の点灯装置が後段の電力線に接続されることにより、第１および第２の照明器具は電力線にそれぞれ接続される。すなわち、電力線への接続作業に手間を要しないとともに、例えば分電盤にブロッキングフィルターを接続することを要しない電力線搬送信号による照明制御システムが提供される。
【００１６】
請求項２に記載の照明制御システムの発明は、請求項１記載の照明制御システムにおいて、照明制御装置は、第１の照明器具に配設されており、ブロッキングフィルターは、照明制御装置に一体的に設けられていることを特徴とする。
【００１７】
本発明によれば、ブロッキングフィルターは、照明制御装置に一体的に設けられているので、第１の照明器具の組立てが容易であり、内部の構成が簡素化される。
【００１８】
請求項３に記載の照明制御システムの発明は、請求項１または２記載の照明制御システムにおいて、照明制御信号を送信する送信器を備えており、送信器は、商用交流電源により充電されるバッテリを具備していることを特徴とする。
【００１９】
バッテリは、二次電池の他、充放電用のコンデンサも包含される。
【００２０】
本発明によれば、送信器は、商用交流電源により充電されるバッテリを具備しているので、繰り返し充電することにより長期間にわたり駆動電源が供給可能であり、乾電池などのように電池交換の必要がなくて、省資源が図られる。
【００２１】
請求項４に記載の照明制御システムの発明は、請求項１ないし３いずれか一記載の照明制御システムにおいて、送信器は、操作面が露出するようにして既設の規格化された埋め込み配線ボックスに着脱可能に配設されていることを特徴とする。
【００２２】
本発明によれば、送信器は、操作面が露出するようにして既設の規格化された埋め込み配線ボックスに着脱可能に配設されているので、送信器の配設場所が容易に認識され、紛失が抑制される。
【００２３】
【発明の実施の形態】以下、本発明の一実施の形態について、図面を参照して説明する。まず、本発明の第１の実施形態について説明する。
【００２４】
図１〜図４は、本発明の第１の実施形態を示し、図１は照明制御システムのブロック図、図２は第１の照明器具の斜視図、図３は送信器の斜視図、図４は送信器の配設を示す分解状態図である。
【００２５】
図１において、照明制御システム１は、電力線２、ブロッキングフィルター３、照明制御装置４、点灯装置５、照明負荷としての蛍光ランプ６、第１の照明器具７、第２の照明器具８および送信器９を有して構成されている。
【００２６】
電力線２は、遮断器としてのブレーカ１０を介して商用交流電源Ｖｓに接続されている。そして、電力線２に、第１の照明器具７および複数の第２の照明器具８がそれぞれ接続されている。ここで、第１の照明器具７がブレーカ１０に最も近い位置となるように接続されている。なお、電力線２は、主幹電力線、分岐電力線を問わない。
【００２７】
ブロッキングフィルター３は、周知の回路で形成され、ブレーカ１０に最も近い位置となるようにして、電力線２に介挿されている。すなわち、ブロッキングフィルター３は、入力側に前段の電力線２ａを介してブレーカ１０（商用交流電源Ｖｓ）が接続され、出力側に直接的にまたは後段の電力線２ｂを介して照明制御装置４および点灯装置５が接続されるものであり、入力側から出力側に低周波（５０／６０Ｈｚ）の交流電圧をパスさせ、出力側から入力側に伝播する高周波電圧を遮断するものである。この高周波電圧は、主として照明制御装置４から出力された電力線搬送信号であり、この電力線搬送信号がブレーカ１０（商用交流電源Ｖｓ）側に漏洩することが遮断される。
【００２８】
照明制御装置４は、受信部１１、送信部１２、表示部１３、照度入力部１４、人体検出部１５、記憶部１６、電源部１７、第１の制御部１８および第１の通信部１９を有して構成されている。そして、受信部１１、送信部１２、表示部１３、照度入力部１４、人体検出部１５は、それぞれ後述の受信素子２０、送信用ＬＥＤ２１、表示用ＬＥＤ２２、照度センサ２３および人感センサ２４に接続されている。
【００２９】
受信部１１は、受信素子２０を介して送信器９から送信されたオンオフ制御信号や調光制御信号などの照明制御信号を受信して第１の制御部１８に送出するように構成されている。
【００３０】
送信部１２は、第１の制御部１８から送出された返信信号を送信用ＬＥＤ２１から送信器９に向かって送信させるように構成されている。返信信号は、例えば蛍光ランプ６の調光率である。
【００３１】
表示部１３は、表示用ＬＥＤ２２に接続され、第１の制御部１８の制御により表示用ＬＥＤ２２を点灯または消灯させるように構成されている。第１の制御部１８は、例えば、照明制御装置４に駆動電源が供給され、照度センサ２３および人感センサ２４による検出が行われているときに表示用ＬＥＤ２２を点灯させる制御信号を表示部１３に送出する。
【００３２】
照度入力部１４は、照度センサ２３に電気接続され、照度センサ２３の出力電圧（検出値）を入力して第１の制御部１８に送出するように構成されている。ここで、照度センサ２３の出力電圧は、第１および第２の照明器具７，８が照明する照明エリアの照度と相関している。照度入力部１４は当該照明エリアの照度を入力するものである。
【００３３】
人体検出部１５は、人感センサ２４に接続され、人感センサ２４が検出した人体の検出信号を第１の制御部１８に送出するように構成されている。第１の制御部１８は、人体検出部１５から人体の検出信号を入力すると、蛍光ランプ６を点灯させる電力線搬送信号を第１の通信部１９から第１および第２の照明器具７，８のそれぞれの点灯装置５に伝送させる。
【００３４】
記憶部１６は、照明エリアの目標照度、第１および第２の照明器具７，８のアドレスなどの諸データが記憶されている。
【００３５】
電源部１７は、電力線２に接続され、交流電圧を直流電圧に変換すると共に、所定の電圧値に調整して、第１の制御部１８やその他の各構成部に駆動電源を供給するように構成されている。
【００３６】
第１の制御部１８は、ＣＰＵ、ＲＡＭおよびプログラムが格納されたＲＯＭなどを具備している。そして、第１の制御部１８は、受信部１１から入力した照明制御信号、照度入力部１４から入力した照度値あるいは人体検出部１５から入力した検出信号に応じて電力線搬送信号を演算生成するように形成されている。また、点灯装置５から送出された電力線搬送信号に対して送信器９に返信する返信信号などを演算生成するように形成されている。
【００３７】
第１の通信部１９は、電力線２に接続されており、第１の制御部１８で演算生成された電力線搬送信号を電力線２に出力するとともに、点灯装置５から出力された電力線搬送信号を電力線２から入力するように構成されている。
【００３８】
照明制御装置４は、上述したように、送信器９、照度センサ２３および人感センサ２４から送信される照明制御信号を第１の制御部１８で電力線搬送信号に変換して第１の通信部１９から後段の電力線２ｂに出力するものであり、電源部１７および第１の通信部１９が共に電力線２に接続されるように構成されている。ここで、照明制御装置４の入力端子（図示しない。）が電力線２に接続されることにより、電源部１７および第１の通信部１９が電力線２に接続されるように、電源部１７および第１の通信部１９は、前もって入力端子に接続されている。
【００３９】
そして、点灯装置５は、第２の通信部２５、第２の制御部２６、記憶部２７、電源部２８および点灯制御部２９を有して構成されている。
【００４０】
第２の通信部２５は、電力線２に接続されており、第１の通信部１９から出力された電力線搬送信号を電力線２から受信すると共に、第２の制御部２６が演算生成した蛍光ランプ６の監視データなどの電力線搬送信号を電力線２に出力するように構成されている。
【００４１】
第２の制御部２６は、ＣＰＵ、ＲＡＭおよびＲＯＭなどを具備している。そして、第１の通信部１９から出力された電力線搬送信号を演算し、調光信号例えばＰＷＭ調光信号を生成して点灯制御部２９に送出するように形成されている。また、蛍光ランプ６の監視データなどを電力線搬送信号に演算生成して第２の通信部２５に送出するように形成されている。
【００４２】
記憶部２７は、第１の照明器具７または第２の照明器具８のアドレス、点灯装置５の調光下限値などの諸データが記憶されている。
【００４３】
電源部２８は、電力線２に接続され、商用交流電源Ｖｓの交流電圧を点灯制御部２９に供給するように形成されている。また、交流電圧を直流電圧に変換すると共に、所定の電圧値に調整して、第２の制御部２６やその他の各構成部に駆動電源を供給するように構成されている。
【００４４】
点灯制御部２９は、蛍光ランプ６に電力を供給するものであり、例えば交流電圧を高周波電圧に変換するインバータ回路を備えた高周波点灯装置に形成されている。この高周波点灯装置は、第２の制御部２６から出力された調光信号例えばＰＷＭ調光信号に応じて高周波電圧（出力電圧）が制御される。これにより、蛍光ランプ６の電力が制御され、蛍光ランプ６は調光点灯される。
【００４５】
点灯装置５は、上述したように、照明制御装置４から出力された電力線搬送信号を電力線２から受信し、電力線搬送信号に応じて蛍光ランプ６の電力の制御をするものであり、第２の通信部２５および電源部２８が共に電力線２に接続されるように構成されている。ここで、点灯装置５の入力端子（図示しない。）が電力線２に接続されることにより、第２の通信部２５および電源部２８が電力線２に接続されるように、第２の通信部２５および電源部２８は、前もって入力端子に接続されている。
【００４６】
そして、蛍光ランプ６は、上述したように、点灯制御部２９の出力側に接続され、第２の制御部２６が演算した調光信号に応じて調光点灯される。例えば、送信器９から送信された照明制御信号は、照明制御装置４の第１の制御部１８で電力線搬送信号に変換され、この電力線搬送信号は点灯装置５の第２の制御部２６で調光信号に変換される。したがって、蛍光ランプ６は、送信器９の照明制御の操作に応じて、点灯装置５により電力が制御されて調光点灯されるものである。
【００４７】
そして、第１の照明器具７は、ブロッキングフィルター３、照明制御装置４、点灯装置５および蛍光ランプ６などが配設されている。そして、第２の照明器具８よりもブレーカ１０側となるようにして電力線２に接続されている。また、ブロッキングフィルター３が照明制御装置４および点灯装置５よりもブレーカ１０側となるようにして電力線２に介挿されている。すなわち、電力線２は、第１の照明器具７が配設される位置において、前段の電力線２ａおよび後段の電力線２ｂに２分されている。そして、ブロッキングフィルター３の入力側およびブレーカ１０間に前段の電力線２ａが接続され、ブロッキングフィルター３の出力側に後段の電力線２ｂが接続されている。そして、通常、照明制御装置４および点灯装置５のそれぞれの入力側は、前もって、ブロッキングフィルター３の出力側に接続されているので、後段の電力線２ｂがブロッキングフィルター３の出力側に接続されることにより、照明制御装置４および点灯装置５は、それぞれ電力線２（電力線２ｂ）に接続される。
【００４８】
図２は、一例としての第１の照明器具７を示したものである。この照明器具７は、天井面に埋設される２灯用の埋込形照明器具であり、一端側に略箱状のセンサ装置３０を配設している。センサ装置３０は、内部に照明制御装置４（図示しない。）を配設し、下部外表面３０ａに露出するようにして、受信素子２０、送信用ＬＥＤ２１、表示用ＬＥＤ２２、照度センサ２３および人感センサ２４をそれぞれ配設している。また、箱状の照明器具本体３１の内部の両端側にランプソケット３２，３２が配設され、このランプソケット３２，３２間に蛍光ランプ６が装着されている。そして、照明器具本体３１の内部の上部に点灯装置５（図示しない。）が配設されている。
【００４９】
受信素子２０は、送信器（リモコン）９から送信されるオンオフ制御信号や調光制御信号などの照明制御信号を受信して照明制御装置４の受信部１１に送出するものである。そして、送信用ＬＥＤ２１は、照明制御装置４の送信部１２から送出された返信信号などを送信器９に向けて送信するものである。また、表示用ＬＥＤ２２は、照明制御装置５の表示部１３により点消灯されるものであり、例えば照明制御装置４が動作しているときに点灯される。
【００５０】
照度センサ２３は、第１および第２の照明器具７，８が照明する照明エリア内からの反射光により当該照明エリア内の照度を間接的に検出し、照明制御装置４の照度入力部１４に送出するものである。また、人感センサ２４は、照明エリアに近づく人体を検出して照明制御装置４の人体検出部１５に検出信号を送出するものである。
【００５１】
図１において、第２の照明器具８は、点灯装置５および蛍光ランプ６が配設され、点灯装置５が第１の照明器具７よりも後段の電力線２ｂに渡り線３３を介して接続されている。第２の照明器具８は、例えば、図２に示す第１の照明器具７において、センサ装置３０が除去された構成とすることができる。
【００５２】
そして、送信器９は、蛍光ランプ６を点消灯させる点滅信号や調光させる調光信号などの照明制御信号を送信すると共に、点灯装置５の調光下限値や蛍光ランプ６の点灯状態（調光率）の状況などの返信信号を受信するように構成されている。すなわち、送信器９は、図３または図４に示すように、前面の外表面（操作面）に点滅スイッチ３４、アップスイッチ３５およびダウンスイッチ３６、表示部３７、表示ランプ３８，３９を具備している。そして、点滅スイッチ３４の操作により、点滅信号が送信され、アップスイッチ３５またはダウンスイッチ３６の操作により、調光信号が送信される。この点滅信号および調光信号などの送信信号は、上部の内部に配設されている発光素子４０から送信される。また、表示部３７には、照明制御信号などの送信信号および第１の照明器具７から返信された返信信号などが表示される。また、表示ランプ３８は、バッテリの電荷の残量状態を示すものであり、バッテリが送信器９の駆動電圧を維持しているときに例えば赤色に点灯され、駆動電圧が所定電圧以下となったときに消灯される。また、表示ランプ３９は、蛍光ランプ６の点灯状態を示し、蛍光ランプ６が点灯（または全光）のときに例えば緑色に点灯され、蛍光ランプ６が消灯（または調光）のときに消灯されるものである。なお、表示ランプ３８は、バッテリの残存電荷が充分であると、暗闇のときにも点灯しているので、送信器９の位置を視認させることができる。
【００５３】
送信器９は、薄形の長方形体の背面の中央部に長方形状の凸部４１が設けられ、この凸部４１内にバッテリ（図示しない。）が配設されている。バッテリは、長方形体の下面の前面側に設けられた給電端子４２，４２に電気的に接続され、この給電端子４２，４２を介して充電可能にされている。すなわち、送信器９は、図３に示すように、電源端子４３，４３が露出している略Ｌ形体のクレードル４４に着脱される。クレードル４４は、内部に充電器（図示しない。）を配設している。充電器は、入力側にプラグ４５付の電源コード４６が接続され、出力側に電源端子４３，４３が電気的に接続されている。そして、充電器は、交流電圧を所定の直流電圧に変換して送信器９のバッテリを充電させるものである。
【００５４】
クレードル４４は、送信器９が装着されたときに、送信器９の給電端子４２，４２と電源端子４３，４３が電気的に接触するように形成されている。このとき、電源コード４６のプラグ４５が壁等に配設されているコンセントに差し込まれていると、送信器９のバッテリは、充電器により充電される。バッテリが所定容量以上に充電されると、送信器９内に設けられている制御回路（図示しない。）により、表示ランプ３８が点灯される。そして、バッテリがフル充電の状態に充電されると、表示ランプ３８が点滅され、また、表示部３７にフル充電である旨、例えば「充電完了」が表示される。
【００５５】
また、送信器９は、背面の凸部４１の上部側および下部側に一対の支持棒４７，４７が突設されている。支持棒４７，４７は、図４に示すように、取付体４８の挿通孔４９，４９に挿通可能に形成されている。取付体４８は、縁部を構成する枠体５０および枠体５０と一体に形成された薄形の直方体からなる支持体５１からなっている。そして、支持体５１に送信器９の凸部４１および支持棒４７，４７に対向する開口５２および挿通孔４９，４９がそれぞれ形成されている。また、開口５２および挿通孔４９，４９は、凸部４１および支持棒４７，４７が挿通され、かつ凸部４１および支持棒４７，４７を支持可能な大きさに形成されている。そして、枠体５０の上部および下部には、一対の孔５３，５３が設けられている。孔５３，５３は、埋め込み配線ボックス５４の上部および下部に設けられた取付金具５５，５５のねじ孔５６，５６に対向するものである。すなわち、取付体４８は、埋め込み配線ボックス５４の開口５７の大きさに略一致するように形成されている。
【００５６】
埋め込み配線ボックス５４は、ＪＩＳ（日本工業規格）などにより規格化されたものであり、造営物例えば壁５８内に埋設されている。このとき、壁面と開口面とが略一致するように埋設されている。そして、取付金具５５，５５は、開口面よりも内部の内表面に配設されている。取付体４８の孔５３，５３にねじ（図示しない。）が挿通され、このねじを取付金具５５，５５のねじ孔５６，５６に螺合させることにより、取付体４８は、埋め込み配線ボックス５４に取り付けられる。取付金具５５，５５は、開口面よりも内部の内表面に配設されているので、取付体４８の外表面（支持体５１の外表面）は、壁面と略一致している。なお、埋め込み配線ボックス５４は、既設のスイッチボックスを用いることができる。
【００５７】
通常、取付体４８が埋め込み配線ボックス５４に取り付けられた状態となっている。そして、取付体４８の開口５２および挿通孔４９，４９に送信器９の凸部４１および支持棒４７，４７を挿通させると、送信器９は、操作面が露出するようにして取付体４８の外表面（支持体５１の外表面）に取り付けられる。このとき、凸部４１および支持棒４７，４７が取付体４８の開口５２および挿通孔４９，４９のそれぞれの内面で支持される結果、送信器９は、取付体４８から容易に取り外れないものである。また、送信器９は、薄形の長方形体の厚さ分が壁面より突出するものである。送信器９の取付体４８への着脱は、薄形の直方形体の周回部を手で挟み、凸部４１および支持棒４７，４７を取付体４８の開口５２および挿通孔４９，４９に挿入または引き出すことにより容易に行える。なお、凸部４１のみで送信器９が取付体４８に支持されるときは、支持棒４７，４７は設けなくてもよい。
【００５８】
次に、本発明の第１の実施形態の作用について述べる。
【００５９】
第１の照明器具７は、ブロッキングフィルター３を配設しているので、ブレーカ１０に最も近い位置において、第１の照明器具７を電力線２に接続し、続く電力線２に第２の照明器具８を接続するようにする。
【００６０】
第１の照明器具７において、ブロッキングフィルター３の入力側およびブレーカ１０間に前段の電力線２ａを接続し、ブロッキングフィルター３の出力側に後段の電力線２ｂを接続することにより、第１の照明器具７は電力線２に接続される。また、第２の照明器具８は、渡り線３３を用いて後段の電力線２ｂと点灯装置５の入力側を接続することにより、電力線２に接続される。したがって、ブロッキングフィルター３を例えばブレーカ１０が配設されている分電盤に配設する必要がないので、第１および第２の照明器具７，８の電力線２への接続作業は比較的容易であり、低コスト化される。そして、オンオフ照明器具のリニューアルのときに、既設の電力線２をそのまま用いることができるので、施工費用が低減可能である。
【００６１】
そして、電力線２に搬送される電力線搬送信号は、ブロッキングフィルター３によりブレーカ１０（商用交流電源Ｖｓ）側に漏洩することが遮断されるので、送信器９、照度センサ２３および人感センサ２４により、蛍光ランプ６の点消灯や調光点灯が行える。
【００６２】
そして、送信器９は、駆動電源が交流電圧により充電されるバッテリであるので、バッテリを充電することにより駆動電源が供給される。したがって、乾電池などのように電池交換の必要がなく、省資源が図られるとともに、低コスト化される。
【００６３】
また、送信器９は、壁５８等の造営物の規格化された埋め込み配線ボックス５４に取付体４８を介して着脱可能であるので、送信器９の配設場所が容易に認識されると共に、紛失が抑制される。そして、表示ランプ３８の点灯により、暗闇でも送信器９の位置が認識可能である。
【００６４】
また、埋め込み配線ボックス５４は、オンオフ照明器具のリニューアルのときに、既設の規格化された配線ボックスを用いることができるので、施工費用の低減が図れると共に、室内の美観が損なわれることを抑制可能である。
【００６５】
なお、第１および第２の照明器具７，８にアドレスを設けることにより、送信器９からアドレスおよび照明制御信号を送信して、第１および第２の照明器具７，８を個別に点消灯または調光点灯させることが可能である。
【００６６】
次に、本発明の第２の実施形態について説明する。
【００６７】
図５は、本発明の第２の実施形態を示す照明制御システムのブロック図である。なお、図１と同一部分には同一符号を付して説明は省略する。
【００６８】
図５に示す照明制御システム５９は、図１に示す照明制御システム１において、ブロッキングフィルター３および照明制御装置４を一体にして照明制御装置６０を構成したものである。これにより、部品点数が少なくなるので、第１の照明器具７の組立てが容易であり、内部の構成が簡素化される。
【００６９】
次に、本発明の第３の実施形態について説明する。
【００７０】
図６は、本発明の第３の実施形態を示す照明制御システムのブロック図である。なお、図１と同一部分には同一符号を付して説明は省略する。
【００７１】
図６に示す照明制御システム６１は、図１に示す照明制御システム１において、照明制御装置４を第２の照明器具６２に配設したものである。すなわち、第１の照明器具６３は、ブロッキングフィルター３、点灯装置５および蛍光ランプ６が配設され、ブロッキングフィルター３の出力側に接続されている後段の電力線２ｂに点灯装置５の入力側が接続されている。そして、第２の照明器具６２は、照明制御装置４、点灯装置５および蛍光ランプ６が配設され、後段の電力線２ｂに照明制御装置４および点灯装置５のそれぞれの入力側が接続されている。第２の照明器具６２は、例えば、図２に示す照明器具７と同様の構成とすることができる。ここで、照明制御装置４および点灯装置５のそれぞれの入力側は、第２の照明器具６２の共通入力端子に接続されており、この共通入力端子が渡り線３３，３３を介して後段の電力線２ｂに接続されている。また、照明制御装置４は、複数の第２の照明器具のうちの１つの照明器具６２に配設されている。
【００７２】
照明制御装置４の第１の通信部１９から出力された電力線搬送信号は、第２の照明器具６２に配設されている点灯装置５の第２の通信部２５に入力される。また、当該電力線搬送信号は、電力線２を搬送して、第１の照明器具６３に配設されている点灯装置５の第２の通信部２５に入力され、照明器具６２以外の第２の照明器具に配設されている点灯装置５の第２の通信部２５に入力される。
【００７３】
図１および図６に示すように、照明制御装置４は、第１および第２の照明器具の少なくとも１つの照明器具に配設されるものであり、送信器９などから送信された照明制御信号を電力線搬送信号に変換して後段の電力線２ｂに出力するものである。
【００７４】
次に、本発明の第４の実施形態について説明する。
【００７５】
図７は、本発明の第４の実施形態を示す照明制御システムのブロック図である。なお、図１と同一部分には同一符号を付して説明は省略する。
【００７６】
図７に示す照明制御システム６４は、図１に示す照明制御システム１において、照明制御装置４に配設されている受信部１１、送信部１２および表示部１３が除去されて照明制御装置６５が形成され、照明器具７内に配設されている受信素子２０、送信用ＬＥＤ２１および表示用ＬＥＤ２２が除去されて第１の照明器具６６が形成されたものである。すなわち、送信器９からの照明制御信号によらず、照度センサ２３からの照度値（照明制御信号）または人感センサ２４の人体の検出信号（照明制御信号）に応じた電力線搬送信号が照明制御装置６５の第１の制御部１８で演算生成され、第１の通信部１９から後段の電力線２ｂに出力されるものである。
【００７７】
図８は、一例としての第１の照明器具６６を示したものである。この照明器具６６は、天井面に直付けされる２灯用の直付形照明器具であり、照明器具本体６７および反射体６８により逆富士形に形成されている。そして、照明器具本体６７の両端側にランプソケット６９，６９が配設され、このランプソケット６９，６９間に蛍光ランプ６が装着されている。そして、照明器具本体６９の内部の上部、側部および下部にそれぞれ図示しない点灯装置５、照明制御装置６５、照度センサ２３および人感センサ２４が配設されている。
【００７８】
また、反射体６８は、長手方向の略中央部の蛍光ランプ６，６間に、照度センサ２３および人感センサ２４がそれぞれ隣接している開口７０および開口７１が形成されている。そして、照度センサ２３は、照明エリア内から反射され、開口７０を通過する反射光により照明エリア内の照度値を検出する。また、人感センサ２４は、照明エリアに近づく人体から放射され、開口７１を通過する例えば赤外線により人体を検出する。
【００７９】
第２の照明器具８は、図８に示す第１の照明器具６６において、反射体６８に開口７０および開口７１が形成されておらず、照明器具本体６９の内部に照明制御装置６５、照度センサ２３および人感センサ２４が配設されていない構造とすることができる。
【００８０】
そして、図７において、ブレーカ１０および第１の照明器具６６間に遮断器としての電磁開閉器６７が設けられ、ブレーカ１０および電磁開閉器６７間の電力線２，２間に電線６８を介して電磁開閉器６７のリレーコイル６７ａおよび壁スイッチ６９が直列的に接続されている。壁スイッチ６９は、例えば、壁面の既設の規格化された埋め込み配線ボックスに配設されている。なお、通常、ブレーカ１０および電磁開閉器６７は、分電盤に配設されている。
【００８１】
ブレーカ１０がオンしているときに、壁スイッチ６９をオンにすると、リレーコイル６７ａに電流が流れて、リレー接点６７ｂが閉路する。すなわち、電磁開閉器６７がオンする。これにより、前段の電力線２ａ，２ａ間に商用交流電源Ｖｓの交流電圧が印加され、第１および第２の照明器具６６，８に電力が供給可能となる。一方、壁スイッチ６９をオフにすると、リレーコイル６７ａに電流が流れなくなり、リレー接点６７ｂが開路する（電磁開閉器６７がオフする）ので、商用交流電源Ｖｓより第１および第２の照明器具６６，８に電力が供給されなくなる。
【００８２】
人感センサ２４は、照明エリアに近づく人体を検出すると、照明制御装置６５の人体検出部１５に検出信号（照明制御信号）を送出（送信）し、人体検出部１５は、当該検出信号を第１の制御部１８に送出する。第１の制御部１８は、当該検出信号に応じて、蛍光ランプ６を点灯させる電力線搬送信号を演算生成して第１の通信部１９から後段の電力線２ｂに出力させる。
【００８３】
照度センサ２３は、照明エリア内の照度を検出し、検出した照度に応じた検出電圧（照明制御信号）を照度入力部１４に送信（送信）し、照度入力部１４は、当該出力電圧を第１の制御部１８に送出する。第１の制御部１８は、当該検出電圧に応じて、蛍光ランプ６を調光点灯させる電力線搬送信号を演算生成して第１の通信部１９から後段の電力線２ｂに出力させる。
【００８４】
このように、照明制御装置６５は、人感センサ２４または照度センサ２３から送信される検出値（照明制御信号）を電力線搬送信号に変換して後段の電力線２ｂに出力する。そして、それぞれの点灯装置５により第１および第２の照明器具６６，８にそれぞれ配設されている蛍光ランプ６の電力の制御が行われる。すなわち、蛍光ランプ６の点消灯または調光点灯が行われる。なお、第１の照明器具６６は、人感センサ２４または照度センサ２３の一方を具備して構成されていても、上述したように、蛍光ランプ６の電力の制御が行われる。
【００８５】
【発明の効果】請求項１の発明によれば、第１の照明器具のブロッキングフィルターが前段の電力線および後段の電力線に接続され、第２の照明器具の点灯装置が後段の電力線に接続されることにより、第１および第２の照明器具は、電力線にそれぞれ接続されるので、電力線への接続作業に手間を要しないとともに、例えば分電盤にブロッキングフィルターを接続することを要しない電力線搬送信号による照明制御システムを提供することができる。
【００８６】
請求項２の発明によれば、ブロッキングフィルターは、照明制御装置に一体的に設けられているので、第１の照明器具の組立てが容易となると共に、内部の構成を簡素化することができる。
【００８７】
請求項３の発明によれば、送信器は、商用交流電源により充電されるバッテリを具備しているので、繰り返し充電することにより長期間にわたり駆動電源が供給可能であり、乾電池などのように電池交換の必要がなく、省資源を図ることができる。
【００８８】
請求項４の発明によれば、送信器は、操作面が露出するようにして既設の規格化された埋め込み配線ボックスに着脱可能に配設されているので、送信器の配設場所を容易に認識することができ、紛失を抑制することができる。
【図面の簡単な説明】
【図１】本発明の第１の実施形態を示す照明制御システムのブロック図。
【図２】同じく、第１の照明器具の斜視図。
【図３】同じく、ワイヤレス送信器の斜視図。
【図４】同じく、ワイヤレス送信器の配設を示す分解状態図。
【図５】本発明の第２の実施形態を示す照明制御システムのブロック図。
【図６】本発明の第３の実施形態を示す照明制御システムのブロック図。
【図７】本発明の第４の実施形態を示す照明制御システムのブロック図。
【図８】同じく、第１の照明器具の斜視図。
【符号の説明】
１，５９，６１，６４…照明制御システム、２…電力線、３…ブロッキングフィルター、４，６０，６５…照明制御装置、５…点灯装置、６…照明負荷としての蛍光ランプ、７，６３，６６…第１の照明器具、８，６２…第２の照明器具、９…送信器
【図１】
2004247213.tif 000003
【図２】
2004247213.tif 000004
【図３】
2004247213.tif 000005
【図４】
2004247213.tif 000006
【図５】
2004247213.tif 000007
【図６】
2004247213.tif 000008
【図７】
2004247213.tif 000009
【図８】
2004247213.tif 000010